(57)【要約】【課題】ＬＡＮ接続されていないが公衆回線に接続された環境に対して制御シートを提供すること。【解決手段】ＣＰＵ２２は、ＲＯＭ２１に格納された判定プログラム２１ｂを実行して、発信番号と登録番号とが一致するか否かを判定する。発信番号と登録番号とが一致するとの判定がなされると、ＣＰＵ２２は、ＲＯＭ２１に格納された提供プログラム２１ｃを実行して、発信番号と一致する登録番号に関連付けられた制御シート情報を読み出す。【選択図】      図５
2004282560.tif 000002
【特許請求の範囲】
【請求項１】
通信網上の発信元によって発信された発信情報と予め登録された登録情報とが一致するか否かを判定する判定手段と、
前記判定手段によって登録情報と一致すると判定された発信情報の発信元およびこの発信元に関連付けられた関連先の少なくとも一方に対して、制御シート上の画像を電子化した制御シート情報を提供する提供手段とを備えることを特徴とする画像処理装置。
【請求項２】
前記提供手段は、発信情報と一致する登録情報に関連付けられた制御シート情報を提供することを特徴とする請求項１に記載の画像処理装置。
【請求項３】
通信網上の発信元および関連先の少なくとも一方によって発信された制御シート情報に基づいて画像情報を処理する画像処理手段を備えることを特徴とする請求項１または請求項２に記載の画像処理装置。
【請求項４】
コンピュータを、
通信網上の発信元によって発信された発信情報と予め登録された登録情報とが一致するか否かを判定する判定手段と、
前記判定手段によって登録情報と一致すると判定された発信情報の発信元およびこの発信元に関連付けられた関連先の少なくとも一方に対して、制御シート上の画像を電子化した制御シート情報を提供する提供手段として機能させることを特徴とする画像処理プログラム。
【請求項５】
前記提供手段は、発信情報と一致する登録情報に関連付けられた制御シート情報を提供することを特徴とする請求項４に記載の画像処理プログラム。
【請求項６】
通信網上の発信元および関連先の少なくとも一方によって発信された制御シート情報に基づいて画像情報を処理する画像処理手段を備えることを特徴とする請求項４または請求項５に記載の画像処理プログラム。
【請求項７】
請求項４ないし請求項６の何れかに記載の画像処理プログラムを記憶したコンピュータ読取可能な記憶媒体。
【発明の詳細な説明】
【０００１】
【発明の属する技術分野】
本発明は、画像処理装置に関し、より詳しくは、制御シートによって画像処理を制御する画像処理装置に関する。
【０００２】
【従来の技術】
従来の画像処理装置として、フォーム原稿の読取画像データから処理条件を認識し、認識された処理条件に従って原稿Ｐの画像情報を処理するファイルシステムが知られている（特許文献１）。
【０００３】
さらに、文書ＩＤマークが付加された表紙原稿をＬＡＮ上のレーザープリンタによって出力し、文書ＩＤを認証し処理が施される文書画像ファイルを指定するディジタル複合機が知られている（特許文献２）。
【０００４】
【特許文献１】
特開２０００−３５３１７１号公報（段落［００４２］、第６図）
【０００５】
【特許文献２】
特開平１０−３０８８６８号公報（段落［００４８］、段落［００７８］）
【０００６】
【発明が解決しようとする課題】
しかしながら、上記従来の画像処理装置において、特許文献１に記載のものは、フォーム原稿を出力していない。また、特許文献２に記載のものは、表紙原稿をＬＡＮ上のレーザープリンタに出力しているにすぎない。すなわち、フォーム原稿および表紙原稿がＬＡＮ接続されていないプリンタに出力されないので、ＬＡＮ接続されていない環境にいるユーザはフォーム原稿および表紙原稿を入手できないという問題があった。
【０００７】
そこで、本発明は、ＬＡＮ接続されていない環境に対して制御シートを提供することができる画像処理装置を提供することを目的とする。
【０００８】
【課題を解決するための手段】
上記課題を解決するため、本発明に係る画像処理装置は、通信網上の発信元によって発信された発信情報と予め登録された登録情報とが一致するか否かを判定する判定手段と、前記判定手段によって登録情報と一致すると判定された発信情報の発信元およびこの発信元に関連付けられた関連先の少なくとも一方に対して、制御シート上の画像を電子化した制御シート情報を提供する提供手段とを備えることを特徴とする構成を有している。ここで、「この発信元に関連付けられた関連先」とは、制御シート情報が提供される、発信情報の発信元とは異なる宛先をいう。
【０００９】
この構成によれば、通信網上の発信元によって発信された発信情報と予め登録された登録情報とが一致すれば、制御シート上の画像を電子化した制御シート情報が発信元および関連先の少なくとも一方に提供されるので、ＬＡＮ接続されていない環境に対して制御シートを提供することができる。
【００１０】
本発明に係る画像処理装置においては、前記提供手段は、発信情報と一致する登録情報に関連付けられた制御シート情報を提供することを特徴とする構成を有している。
【００１１】
この構成によれば、発信情報と一致する登録情報に関連付けられた制御シート情報が提供されるので、特定の発信元のみが使用できる制御シートを提供することができる。
【００１２】
本発明に係る画像処理装置においては、通信網上の発信元および関連先の少なくとも一方によって発信された制御シート情報に基づいて画像情報を処理する画像処理手段を備えることを特徴とする構成を有している。
【００１３】
この構成によれば、通信網上の発信元および関連先の少なくとも一方によって発信された制御シート情報に基づいて画像情報が処理されるので、通信網上の発信元および関連先の少なくとも一方から画像情報の処理を遠隔指示することができる。
【００１４】
本発明に係る画像処理プログラムは、コンピュータを、通信網上の発信元によって発信された発信情報と予め登録された登録情報とが一致するか否かを判定する判定手段と、前記判定手段によって登録情報と一致すると判定された発信情報の発信元およびこの発信元に関連付けられた関連先の少なくとも一方に対して、制御シート上の画像を電子化した制御シート情報を提供する提供手段として機能させることを特徴とする構成を有している。ここで、「この発信元に関連付けられた関連先」とは、制御シート情報が提供される、発信情報の発信元とは異なる宛先をいう。
【００１５】
この構成によれば、通信網上の発信元によって発信された発信情報と予め登録された登録情報とが一致すれば、制御シート上の画像を電子化した制御シート情報が発信元および関連先の少なくとも一方に提供されるので、ＬＡＮ接続されていない環境に対して制御シートを提供することができる。
【００１６】
本発明に係る画像処理プログラムにおいては、前記提供手段は、発信情報と一致する登録情報に関連付けられた制御シート情報を提供することを特徴とする構成を有している。
【００１７】
この構成によれば、発信情報と一致する登録情報に関連付けられた制御シート情報が提供されるので、発信元ごとに異なった制御シートを提供することができる。
【００１８】
本発明に係る画像処理プログラムにおいては、通信網上の発信元および関連先の少なくとも一方によって発信された制御シート情報に基づいて画像情報を処理する画像処理手段を備えることを特徴とする構成を有している。
【００１９】
この構成によれば、通信網上の発信元および関連先の少なくとも一方によって発信された制御シート情報に基づいて画像情報が処理されるので、通信網上の発信元および関連先の少なくとも一方から画像情報の処理を遠隔指示することができる。
【００２０】
【発明の実施の形態】
図１ないし図５を参照して、本発明に係る画像処理装置の一実施の形態である管理サーバを説明する。図１に示すように、画像処理システム１は、画像情報の処理を行う管理サーバ１０と、管理サーバ１０にＬＡＮ接続された端末２０と、管理サーバ１０にＬＡＮ接続されたプリンタ３０と、管理サーバ１０に公衆回線接続されたファクシミリ装置４０とからなる。
【００２１】
なお、本実施の形態では、管理サーバ１０とファクシミリ装置４０とが公衆回線によって接続されているが、両者が広く第三者によって提供される通信回線網によって接続されている場合でもよい。
【００２２】
図２に示すように、制御シート５０とは、画像情報の処理内容を設定するために用いられるシートあり、一方のシート束と他方のシート束とを仕切る仕切りシートとして用いられることもある。画像情報とは、制御シート５０上の画像を電子化して得られる情報をいう。画像処理システム１においては、管理サーバ１０、端末２０およびプリンタ３０は、ＬＡＮを構成しているから、端末２０が制御シートを出力する旨を指示すると、管理サーバ２０が制御シート情報を出力し、プリンタ３０が制御シート情報を可視化して制御シート５０を出力することになる。
【００２３】
なお、本実施の形態では、制御シート５０の形式が制御シートのチェック欄５１にチェックを入れて処理内容を設定する形式になっているが、他の形式である場合を妨げない。
【００２４】
図３に示すように、管理サーバ２０は、各種プログラムを格納した読出し専用記憶素子（以下、ＲＯＭという）２１と、ＲＯＭ２１に格納された各種プログラムを解釈し処理を実行する中央処理装置（以下、ＣＰＵという）２２と、ＣＰＵ２２の処理結果を記憶する読取り書込み記憶装置（以下、ＲＡＭという）２３と、公衆回線との間で情報を送受するモデム２４と、ＣＤ−ＲＯＭ６０に格納された情報を読み出すＣＤ‐ＲＯＭドライブ２５とを備える。
【００２５】
図４に示すように、ＲＯＭ２１には、主に、通信を制御する通信制御プログラム２１ａと、公衆回線上の発信元によって発信された発信情報と予め登録された登録情報とが一致するか否かを判定するための判定プログラム２１ｂと、登録情報と一致する発信情報の発信元に対して制御シート情報を提供する提供プログラム２１ｃと、公衆回線上の発信元によって発信された制御シート情報に基づいて画像情報を処理するための画像処理プログラム２１ｄとが格納されている。このように、ＲＯＭ２１およびＣＰＵ２２は、判定手段としての機能、提供手段としての機能および画像処理手段としての機能を有する。
【００２６】
なお、本実施の形態では、判定プログラム、提供プログラムおよび画像処理プログラムが予めＲＯＭ２１に格納されているが、判定プログラム、提供プログラムおよび画像処理プログラムがＣＤ−ＲＯＭ６０に格納されて、ＣＤ−ＲＯＭドライブ２５によって読み出される場合、判定プログラム、提供プログラムおよび画像処理プログラムが公衆回線を通じてモデム２４によって取得される場合でもよい。
【００２７】
次に、図５および図６を参照して、本実施の形態に係る管理サーバ２０の動作を説明する。図５に示すように、ファクシミリ装置４０が、ファクシミリ装置４０の電話番号に関する情報を発信情報として管理サーバ１０に発呼すると、ＣＰＵ２２は、ＲＯＭ２１に格納された通信制御プログラム２１ａを実行して、ファクシミリ装置４０と接続するように着呼し、ファクシミリ装置４０の電話番号に関する情報を取得する（ステップＳ１１）。以下では、ファクシミリ装置４０の電話番号を発信番号という。
【００２８】
次いで、ＣＰＵ２２は、ＲＯＭ２１に格納された判定プログラム２１ｂを実行して、電話番号が登録された判定テーブルを読み出す（ステップＳ１２）。判定テーブルには、端末２０などによって、登録情報としての電話番号が予め登録されている。以下、予め登録された電話番号を登録番号という。
【００２９】
次いで、ＣＰＵ２２は、ＲＯＭ２１に格納された判定プログラム２１ｂを実行して、発信番号と登録番号とが一致するか否かを判定する（ステップＳ１３）。このとき、発信番号と登録番号とが一致しないとの判定がなされると、ＣＰＵ２２は、ＲＯＭ２１に格納された判定プログラム２１ｂを実行して、処理を終了する。
【００３０】
他方、ステップＳ１３において、発信番号と登録番号とが一致するとの判定がなされると、ＣＰＵ２２は、ＲＯＭ２１に格納された提供プログラム２１ｃを実行して、発信番号と一致する登録番号に関連付けられた制御シート情報を読み出す（ステップＳ１４）。具体的には、図６に示すように、発信番号が「０３−１２３４−５６７８」である場合、この発信番号と一致する登録番号「０３−１２３４−５６７８」に関連付けられた制御シート情報Ａが読み出される。また、登録番号「０３−２２３４−５６７８」には制御シート情報Ｂが関連付けられ、登録番号「０３−９８７６−５４３２」には制御シート情報Ｃが関連付けられており、制御シート情報Ａないし制御シート情報Ｃの内容はそれぞれ異なっている。
【００３１】
制御シート情報が読み出されると、ＣＰＵ２２は、ＲＯＭ２１に格納された提供プログラム２１ｃを実行して、発信番号を発呼して、制御シート情報をファクシミリ装置４０に提供する（ステップＳ１５）。
【００３２】
さて、ＣＰＵ２２は、ＲＯＭ２１に格納された画像処理プログラム２１ｄを実行して、ファクシミリ装置４０によって送信された制御シート情報を受信したか否かを監視する（ステップＳ１６）。
【００３３】
ステップＳ１６において、制御シート情報が受信された場合、ＣＰＵ２２は、ＲＯＭ２１に格納された画像処理プログラム２１ｄを実行して、制御シート情報から処理内容を認識する（ステップＳ１７）。ここで、制御シート情報の認識方法としては、従来公知の技術が用いられればよい。
【００３４】
処理内容が認識されると、ＣＰＵ２２は、ＲＯＭ２１に格納された画像処理プログラム２１ｄを実行して、画像情報処理を設定する（ステップＳ１８）。設定される処理内容として、画像情報をファクシミリ送信するファクシミリ送信処理、画像情報を保存する保存処理、画像情報をネットワーク上の端末に回覧する回覧処理などがある。
【００３５】
画像情報処理が設定されると、ＣＰＵ２２は、ＲＯＭ２１に格納された画像処理プログラム２１ｄを実行して、ファクシミリ装置４０によって送信された画像情報に対して、設定された画像情報処理を実行する（ステップＳ１９）。
【００３６】
なお、本実施の形態では、発信情報および登録情報として、電話番号が用いられているが、ユーザ識別情報や端末のＩＰアドレス情報などが用いられてもよいし、パスワード情報とユーザ識別情報や端末のＩＰアドレス情報などとが併用されてもよい。
【００３７】
また、本実施の形態では、発信情報の発信元と制御シートの提供先とが一致している場合が説明されているが、発信情報の発信元と制御シートの提供先とが一致していない場合、具体的には、発信情報の発信元が移動体端末であり、制御シートの提供先がファクシミリ装置である場合でもよい。この場合、発信元である移動体端末の電話番号、制御シート情報および制御シート情報の提供先としての関連先を関連付けたテーブルが用意されていればよい。
【００３８】
以上本実施の形態によれば、公衆回線上のファクシミリ装置４０によって発信された発信番号と登録番号とが一致すれば、制御シート情報がファクシミリ装置４０に提供されるので、ＬＡＮ接続されていないが公衆回線に接続されているファクシミリ装置４０に対して制御シート５０を提供することができる。
【００３９】
また、本実施の形態によれば、発信番号と一致する登録番号に関連付けられた制御シート情報Ａが提供されるので、ファクシミリ装置Ａのみが使用できる制御シート５０を提供することができる。
【００４０】
また、公衆回線上のファクシミリ装置４０によって発信された制御シート情報に基づいて画像情報が処理されるので、公衆回線上のファクシミリ装置４０から画像情報の処理を遠隔指示することができる。
【００４１】
【発明の効果】
本発明によれば、公衆回線上の発信元によって発信された発信情報と予め登録された登録情報とが一致すれば、制御シート上の画像を電子化した制御シート情報が発信元に提供されるので、ＬＡＮ接続されていないが公衆回線に接続された環境に対して制御シートを提供することができる。
【図面の簡単な説明】
【図１】本発明に係る画像処理装置の一実施の形態である管理サーバを有する画像処理システムの構成を示すシステム構成図
【図２】制御シートの具体例を示す正面図
【図３】管理サーバの構成を示すブロック図
【図４】各種プログラムの構成を示すプログラム構成図
【図５】管理サーバの動作を示すフローチャート
【図６】登録番号と制御シート情報との関係を示すテーブル図
【符号の説明】
２１    ＲＯＭ（判定手段、提供手段、画像処理手段）
２２    ＣＰＵ（判定手段、提供手段、画像処理手段）
【図１】
2004282560.tif 000003
【図２】
2004282560.tif 000004
【図３】
2004282560.tif 000005
【図４】
2004282560.tif 000006
【図５】
2004282560.tif 000007
【図６】
2004282560.tif 000008